(57)【要約】【課題】扉の開閉動作において、その開閉動作軌跡の領域を極めて少ないものとし、家具の開口面積を最大限に使用することができ、且つ家具周囲の扉開閉面積を小さくして、省スペース化を実現することができる家具扉の開閉装置を提供すること。  【解決手段】ケーシング３内に回動中心部１２を有すると共に，略平行状態で回動する主アーム1と，副アーム２とが装着された固定開閉具Ａと、Ｘ方向にのみ直線移動する摺動体Ｂと、前記固定開閉具Ａの主アーム１と前記摺動体Ｂとを枢支連結するリンク９とからなること。前記固定開閉具Ａは不動に設置され、前記摺動体Ｂは、前記リンク９を介して前記主アーム１の開閉動作時の回動と共に前記Ｘ方向にそって１往復されると共に、前記摺動体Ｂの復路終端側に付勢される付勢手段８が具備されること。  【選択図】図１
2008291560.tif 000002
【特許請求の範囲】
【請求項１】
ケーシング内に回動中心部を有すると共に，略平行状態で回動する主アームと，副アームとが装着された固定開閉具と、Ｘ方向にのみ直線移動する摺動体と、前記固定開閉具の主アームと前記摺動体とを枢支連結するリンクとからなり、前記固定開閉具は不動に設置され、前記摺動体は、前記リンクを介して前記主アームの開閉動作時の回動と共に前記Ｘ方向にそって１往復されると共に、前記摺動体の復路終端側に付勢される付勢手段が具備されてなることを特徴とする扉開閉装置。
【請求項２】
請求項１において、前記主アームには固定分岐部が形成され、前記摺動体には固定レバー部が形成され、前記リンクは固定分岐部と固定レバー部の先端に枢支連結され、前記主アームの回動中心位置と、前記リンクと前記固定レバー部の第２連接部の位置とは、Ｙ方向において同一位置且つＸ方向において離間してなることを特徴とする扉開閉装置。
【請求項３】
請求項１又は２において、前記摺動体は、摺動板部がレールに沿って直線移動してなることを特徴とする扉開閉装置。
【請求項４】
請求項１，２又は３のいずれか１項の記載において、前記付勢手段は、線状スプリングとしてなることを特徴とする扉開閉装置。
【請求項５】
請求項１，２又は３のいずれか１項の記載において、前記付勢手段は、クローザが装着されてなることを特徴とする扉開閉装置。
【請求項６】
請求項１，２又は３のいずれか１項の記載において、前記付勢手段は、線状スプリング及びクローザが装着されてなることを特徴とする扉開閉装置。
【発明の詳細な説明】
【技術分野】
【０００１】
本発明は、扉の開閉動作において、その開閉動作軌跡の領域を極めて少ないものとし、家具の開口面積を最大限に使用することができ、且つ家具周囲の扉開閉面積を小さくして、省スペース化を実現することができる扉開閉装置に関する。
【背景技術】
【０００２】
従来、家具扉における開閉機構には、種々のものが存在している。その開閉装置の最も一般的なものとして、ヒンジが存在している。また、家具扉の開閉をスムーズに行うために特許文献１に示すようなスライドヒンジも多く利用されている。これらのヒンジは、家具扉の１辺を回動中心とし、開閉動作を行うことができるものである。この種のものでは、家具扉の他側辺が回動自由端側となり、開閉するので、家具扉の横方向寸法が直接的に開閉領域となる。さらに、家具扉が完全なスライド構造を有するものとしたものが存在する。この場合には、家具扉の開閉に対して、家具扉は家具本体の前面に飛び出すことはないが、家具本体の横方向に家具扉が移動するので、ガイドレールが必要となる。
【特許文献１】特開平８−１２８２５０号
【発明の開示】
【発明が解決しようとする課題】
【０００３】
ところで、上述したように、特許文献１等のヒンジ類を使用したものでは家具扉は、家具本体の前面に飛び出すようにして、リンクが作動して開閉動作を行うものである。その構成は、内部にスプリング等弾性部材が装着されたものであって、そのスプリングの弾性力によって扉の開閉動作が行われるものである。しかし、特に扉の重量が重くなる場合には、扉の開閉時において、戸閉めの最終段階及び戸開きの最終段階で正確な閉めが行われないものである。すなわち、戸閉め時においては、完全に閉じきらず、扉と家具本体の開口部枠周囲との間に隙間が生じることがある。
【０００４】
また、戸開き時の最終段階では、完全に開ききっておらず、その手前で扉が停止することがある。このようなことが生じるのは、ヒンジを構成するハウジング内部に、限られた収容スペースしか存在しておらず、十分な弾性力が具備された弾性部材或いは復元部材が収納されることができない。そのために扉の開閉が不十分であり、完全な戸閉が完了しないものである。本発明の目的（技術的課題）は、開閉する扉のヒンジにおいて、特に重量のある扉の開閉動作が確実且つ正確に戸閉め及び戸開が行われるようにすることにある。
【課題を解決するための手段】
【０００５】
そこで、発明者は、上記課題を解決すべく鋭意，研究を重ねた結果、請求項１の発明を、ケーシング内に回動中心部を有すると共に，略平行状態で回動する主アームと，副アームとが装着された固定開閉具と、Ｘ方向にのみ直線移動する摺動体と、前記固定開閉具の主アームと前記摺動体とを枢支連結するリンクとからなり、前記固定開閉具は不動に設置され、前記摺動体は、前記リンクを介して前記主アームの開閉動作時の回動と共に前記Ｘ方向にそって１往復されると共に、前記摺動体の復路終端側に付勢される付勢手段が具備されてなる扉開閉装置としたことにより、上記課題を解決した。
【０００６】
請求項２の発明を、前述の構成において、前記主アームには固定分岐部が形成され、前記摺動体には固定レバー部が形成され、前記リンクは固定分岐部と固定レバー部の先端に枢支連結され、前記主アームの回動中心位置と、前記リンクと前記固定レバー部の第２連接部の位置とは、Ｙ方向において同一位置且つＸ方向において離間してなる扉開閉装置としたことにより、上記課題を解決した。請求項３の発明を、前述の構成において、前記摺動体は、摺動板部がレールに沿って直線移動してなる扉開閉装置としたことにより、上記課題を解決した。
【０００７】
請求項４の発明を、前述の構成において、前記付勢手段は、線状スプリングとしてなる扉開閉装置としたことにより、上記課題を解決した。請求項５の発明を、前述の構成において、前記付勢手段は、クローザが装着されてなる扉開閉装置としたことにより、上記課題を解決した。請求項６の発明を、前述の構成において、前記付勢手段は、線状スプリング及びクローザが装着されてなる扉開閉装置としたことにより、上記課題を解決した。
【発明の効果】
【０００８】
請求項１の発明では、固定開閉具は不動状態に設置され、そのケーシング内に回動中心部を有すると共に、略平行状態で回動する主アームと，副アームとを有したものであり、前記主アームは、Ｘ方向にのみ直線移動する摺動体とリンクを介して枢支連結されている。そして、前記摺動体には復路終端側に付勢される付勢手段が具備され、前記リンクを介して前記主アームの開閉動作時の回動と共に、前記摺動体は前記Ｘ方向に沿って１往復する構造としたものである。
【０００９】
したがって、前記固定開閉具が家具本体に不動状態で装着され、且つ主アーム及び副アームのそれぞれの自由端側に扉が接合された構成において、扉は、前記固定開閉具の主アーム及び副アームによって、開閉動作を行うと同時に、前記主アームは、Ｘ方向にのみ直線移動する摺動体とリンクにより枢支連結されたものであるために、主アームの回動動作が極めて安定するものである。しかも、摺動体は、扉の１回の開き又は閉じのいずれの動作においても、Ｘ方向に沿って１往復する構造としたものであり、前記摺動体には復路終端側に付勢される付勢手段が装着されている。したがって、戸開き完了直前又は戸閉完了直前の位置から前記付勢手段が作動して、戸開き及び戸閉を最後まで確実に行うことができ、扉の開閉動作を静粛に行うことができるものである。
【００１０】
請求項２の発明によって、前記主アームには固定分岐部が形成され、前記摺動体には固定レバー部が形成され、前記リンクは固定分岐部と固定レバー部の先端に枢支連結され、前記主アームの回動中心位置と、前記リンクと前記固定レバー部の第２連接部の位置とは、Ｙ方向において同一位置且つＸ方向において離間してなる扉開閉装置としたことにより、第２連接部は、Ｘ方向線状に位置し、摺動体のＸ方向への移動を常時安定させ、ひいては扉の開閉動作をより一層良好なものにすることができる。
【００１１】
請求項３の発明によって、前記摺動体は、摺動板部がレールに沿って直線移動する構成としたことにより、摺動体及びレールの構成を簡単なものとし、動作を確実なものにすることができる。請求項４の発明によって、前記付勢手段は、線状スプリングとしたことにより、摺動板部には線状スプリングの弾性力が常時復路側にかかっており、摺動板部は復路方向に付勢され戻りやすい状態にすることができ、且つその復帰構造を簡単なものにすることができる。請求項５の発明によって、前記付勢手段は、クローザが装着されてなる扉開閉装置としたことにより、復路側で戸閉動作を確実なものにすることができる。請求項６の発明によって、前記付勢手段は、線状スプリング及びクローザが装着されたことにより、復路側への復帰を確実に行うことができる。
【発明を実施するための最良の形態】
【００１２】
以下、本発明の実施形態を図面に基づいて説明する。本発明は、主に図１,図２及び図５等に示すように、固定開閉具Ａ，摺動体Ｂ及びリンク９等から構成される。前記固定開閉具Ａは、主アーム１,副アーム２,ケーシング３及び押圧体４１等から構成される。前記ケーシング３には、その内部に回動中心部を有すると共に、前記主アーム1と，前記副アーム２とが装着され、略平行状態で回動する。そして、前記摺動体Ｂは、図７,図８等に示すように、（仮想の）Ｘ−Ｙ座標のＸ方向にのみ直線移動するものである。前記固定開閉具Ａの主アーム１と、前記摺動体Ｂとがリンク９によって枢支連結されている。これら固定開閉具Ａ及び摺動体Ｂからなる開閉装置が家具本体２００内の出し入れ開口部に装着され、扉１００を支持しながら開閉動作を行わせるものである。
【００１３】
前記ケーシング３を構成するベース部３１は、図１,図２に示すように、略長方形状に形成されており、該ベース部３１が前記家具本体２００の開口部付近における床部及び天井部にビス等の固着具にて固着される部位となっている（図５参照）。また、前記ベース部３１ には、ガイド部３２が形成され、該ガイド部３２に後述する仮固定機構４の押圧体４１が装着される（図４参照）。また、前記ベース部３１には、前記主アーム１を回動自在に支持する主回動支持部３３が形成されている（図４参照）。さらに前記ベース部３１には、前記副アーム２を回動自在に支持する副回動中心部２２が形成されている（図４参照）。
【００１４】
前記主回動支持部３３は、前記主アーム１の回動中心部１２を支持する部位であり、前記主回動支持部３３の支持軸部３３１が前記ベース部３１に対して垂直状に形成される。その支持軸部３３１は、円筒管状に形成され、後述のカバー部３５ に連結するためのビス等の固着具が挿通する構造となっている。前記ガイド部３２は、前記ベース部３１の内側の表面から膨出した部位であり、前記ベース部３１ とカバー部３５とを接合するときに、ベース部３１とカバー部３５との間に適宜の間隔が形成されるスペーサーとしての役目も兼用する。
【００１５】
そのガイド部３２には、ガイド膨出部３２１の内部に案内溝３２２，調整溝３２３，内螺子部３２４及び仮固定強度調整溝３２５が直線状に連続形成されている。これら案内溝３２２，調整溝３２３，内螺子部３２４及び仮固定強度調整溝３２５に、主アーム１を仮固定する仮固定機構４が設けられる。そのガイド部３２の外側形状は、主アーム１及び副アーム２がケーシング３内部で回動するときに、良好な回動動作を行いやすいように好適な形状となっている。
【００１６】
前記ガイド部３２にはストッパとしての役目をなすストッパ面部３２７が形成され、前記主アーム１が回動して開き状態となったときに、該主アーム１が前記ストッパ面部３２７に当接することによって、前記主アーム１の回動範囲を適正に規制する（図４参照）。前記ストッパ面部３２７は、平坦な傾斜面に形成され主アーム１の主アーム部１１が面接触するものである。さらに、前記副アーム２の装着箇所では、前記ガイド部３２の外面は円弧凹み状に形成されており、前記副アーム２のケーシング３側における回動軌跡よりも大きな半径を有し、副アーム２の回動中心部付近が良好に回動することができるようになっている（図４参照）。
【００１７】
そのカバー部３５ は、前記ベース部３１ と略同様な構成であり、該ベース部３１に形成された前記主回動支持部３３及び副回動支持部３４と同等形状のカバー側主回動支持部及び副回動支持部が形成されている。さらに、前記カバー部３５ には前記ガイド部３２と略同等形状のカバー側ガイド部が形成され、前記ガイド部３２に形成されている案内溝３２２，調整溝３２３，内螺子部３２４及び仮固定強度調整溝３２５と同等形状の部位が形成されている。そして、前記ベース部３１ とカバー部３５ とを接合した状態で、仮固定機構４が装着されるハウジングが構成され、且つ前記ベース部３１とカバー板５にて前記主アーム１の回動中心部１２及び副アーム２の副回動中心部２２のそれぞれのスペースが確保されるものである。
【００１８】
また、前記ガイド部３２は、前記ベース部３１ の幅方向において左右対称形状に形成されている（図４参照）。そして、その両側箇所に副回動支持部３４が形成されている。この構成は前記カバー部３５ においても同様である。これによって、主アーム１及び副アーム２は、ケーシング３の幅方向における左右何れの側にも装着可能となり、たとえば、ベース部３１ とカバー部３５ とを開いて内部に装着された主アーム１と副アーム２とを左右勝手反対となるように入れ替えることにより、扉１００の開閉方向が左右何れの場合でも適用することができる。
【００１９】
次に、主アーム１は、図５に示すように、主アーム部１１，回動中心部１２及び自由端部１３から構成される。主アーム部１１の長さは、扉１００の横方向の寸法に応じて適宜に決定されるものである。その主アーム部１１は、前記扉１００の重量を支持するもので、比較的軸太であり、扉１００の重量を十分に支持することができるようにすることが好適である。さらに、その主アーム部１１の自由端部１３側寄りの位置には、連結用突起部１４が上下方向（又は垂直方向）形成され、連結柱１６が連結される部位となっている。
【００２０】
その回動中心部１２は、前記ケーシング３に形成された主回動支持部３３に回動自在に装着される。前記回動中心部１２は、図４に示すように、略円板状に形成されており、その中心部に回動貫通孔１２１が形成されている。該回動貫通孔１２１には、前記主回動支持部３３の支持軸部３３１が挿通して回動中心部１２をケーシング３内に軸支するものである。その回動中心部１２の所定箇所に仮固定機構４を構成する被押圧面部３７２が形成されている。該被押圧面部３７２は、扉１００が閉じ状態の時に仮固定手段３７の押圧体４１の押圧部４１２が押圧して、扉１００の閉じ状態を維持するようにしたものである。また、主アーム１の自由端部１３は、後述する扉接合具５が装着される部位となる。
【００２１】
その副アーム２は、前記主アーム１とともに回動動作を行うものであり、その回動動作時において、常時，主アーム１と平行状態を維持するものである（図１,２及び図４参照）。その副アーム２は、副アーム部２１，副回動中心部２２及び副回動自由端２３から構成される。その副アーム部２１は、断面が略方形状に形成され、力学的強度が十分にあるように形成されている。そして、副アーム２の副回動中心部２２には、図５に示すように、枢支ピン２２１が形成され、前記副回動中心部２２に挿入される。また、副回動自由端２３には、前記主アーム１の自由端部１３とともに扉接合具５がそれぞれに枢支されている。
【００２２】
ここで、前記主アーム１とケーシング３とが回動中心部１２を回動中心としており、この回動中心部を枢支連結部Ｐａと称する（図８参照）。また、前記副アーム２とケーシング３とが副回動中心部２２を回動中心としており、この回動中心部を枢支連結部Ｐｄ と称する（図８参照）。さらに、主アーム１の自由端部１３と後述する扉接合具５との連結箇所は、枢支連結部Ｐｂ と称する（図８参照）。さらに、前記副アーム２の副回動自由端２３と扉接合具５との連結箇所を枢支連結部Ｐｃ と称する（図８参照）。
【００２３】
そして、その枢支連結部Ｐａ，Ｐｂ，Ｐｃ及びＰｄ とを結ぶ仮想線により構成される形状が常時平行四辺形を構成するようにしている。その枢支連結部Ｐａ，Ｐｂ，Ｐｃ及びＰｄとを結ぶ仮想線が常時，平行四辺形を構成しながら前記主アーム１，副アーム２及び扉接合具５が移動するものであり、これによって、前記扉接合具５の長手方向はケーシング３の長手方向に対して常時平行状態となり、ひいては扉１００も家具本体２００に対して平行状態で開閉することができる。前記扉接合具５は、接合本体部５１に前記主アーム１との主連結部５１１及び副アーム２との副連結部５１２が形成されている。さらに接合本体部５１には、前後・上下方向における扉１００の位置調整手段が設けられている。その前後調整部は、補助接合具 との前後方向の距離を調整することができ、また高さ方向を調整することができるようになっている。
【００２４】
次に仮固定手段４は、図４に示すように、押圧体４１，弾性部材４２及び調整部材４３から構成される。その押圧体４１は、筺体部４１１と押圧部４１２からなり、前記筺体部４１１は、その内部に弾性部材４２の一部が収納される収納穴４１３が形成されている。また弾性部材４２は、通常、コイルスプリングが使用され、前記収納穴４１３ にコイルスプリングが長手方向に沿って収納される。
【００２５】
また、調整部材４３は、ボルトが使用され、さらに具体的には六角穴付きボルトが使用される。その調整部材４３の頭部４３１を適宜に回転させて螺子軸部４３２を軸方向に移動させ、前記弾性部材４２を押圧して、その弾性力を適宜調整することにより、押圧体４１の前記主アーム１の回動中心部１２に対する押圧力を適宜調整することができるようにしたものである。このように前記押圧体４１により主アーム１の回動中心部１２が押圧されることで、回動中心部１２の平坦状の被押圧面部１２２が押圧され、前記主アーム１が閉じ状態或いは開き状態で仮固定される。
【００２６】
その押圧体４１の筺体部４１１は、前記案内溝３２２に配置され、軸方向に摺動自在としている。また、弾性部材４２は、調整溝３２３に配置される。さらに、その調整部材４３の螺子軸部４３２は、前記ガイド部３２の内螺子部３２４に螺合され、頭部４３１を回転させることにより、螺子軸部４３２が軸方向に移動することができ前記弾性部材４２を押圧して弾性力を適宜調整することができる。
【００２７】
前記主アーム１には、固定分岐部１５が形成されている。該固定分岐部１５は主アーム１とは別部材として形成されたものであるが、該主アーム１と共に回動するものである。前記固定分岐部１５は、前記主アーム１に対してビス等の固着具によって固着されている。前記固定分岐部１５の一端側は、前記主アーム１側への固定部であり、他方側は枢支連結部となっている。
【００２８】
次に摺動体Ｂは、図１乃至図３及び図５等に示すように、主に走行摺動部６とレール７とから構成されている。前記走行摺動部６は、Ｘ方向にのみ直線移動する走行部材であり、前記レール７にしたがって走行移動することができるものである。前記走行摺動部６は、板状に形成された摺動板部６１には固定レバー部６２が形成されている（図１,図２及び図５参照）。該固定レバー部６２は、前記摺動板部６１とは、別部材から構成されたものであり、腕状部の一端側が固定部６２１であり、該固定部６２１が前記摺動板部６１にビス等の固着具によって連結されている。前記腕状部の他端側は、リンク９の枢支連結箇所である。前記固定レバー部６２は、前記摺動板部６１に固着されることによって、該摺動板部６１と一体的な構造体として形成され、前記固定レバー部６２は、前記摺動板部６１の走行移動と共に移動するものである。さらに前記固定レバー部６２は、後述するリンク９との連接点（第２連接部Ｊｂ）が、Ｘ−Ｙ座標のＸ（座標）線上に沿って移動し、且つＹ座標方向には不動である。
【００２９】
前記走行摺動部６の摺動板部６１がレール７に沿ってＸ方向にのみ直線走行移動する構造について、具体的には、図３に示すように、前記摺動板部６１の裏面側に複数の走行ローラ６１１,６１１，…が水平面上を回動自在に装着されている。そして、前記レール７は、２本のレール条７１，７１から構成されている。両レール条７１，７１の間隔は、前記走行ローラ６１１の直径寸法よりも幅広に設定され、対向する両レール条７１，７１の内面側にロール案内溝７２，７２が形成されたものである。前記走行摺動部６の摺動板部６１には、複数の前記走行ローラ６１１,６１１，…が前後方向に３個１組として互い違いとなるようにしてローラ群を構成しつつ配置されている〔図３（Ｂ）参照〕。そして、前記両レール条７１，７１のロール案内溝７２，７２に前記走行ローラ６１１,６１１，…が嵌合状態で当接するようにして走行自在に配置されたものである。このような摺動体Ｂとして、走行摺動部６とレール７とが１ユニットとして構成されたものが採用されてもかまわない。
【００３０】
次に、付勢手段８としてまず、クローザ８Ａは、図６に示すように、クローザケーシング８０内に摺動部材８１，フック部材８２，弾性引張具８３及び緩衝部材８４が装着されたものである。そして、前記クローザケーシング８０内にて、適宜の領域を摺動する摺動部材８１に回動自在にフック部材８２が装着され、前記摺動部材８１が弾性引張具８３を介して常時戸閉側に付勢され、且つ該弾性引張具８３の弾性力を減少させる緩衝部材８４による抵抗力Ｔにて、前記フック部材８２に係止された状態から前記摺動部材８１の摺動領域を戸閉方向に移動する構造である〔図６（Ｃ）参照〕。
【００３１】
前記クローザ８Ａは、前記摺動体Ｂに装着される。前記フック部材８２は、回動基部８２１と被係止片８２２ａと被当接片８２２ｂとから構成される。該被係止片８２２ａとは、略平行状態となっている。その被係止片８２２ａは、被当接片８２２ｂよりも短く形成されている。前記緩衝部材８４は、摺動部材８１を移動方向に弾性的に付勢する弾性引張具８３の弾性力Ｆを減少させる抵抗力Ｔを発生するものである。
【００３２】
前記摺動部材８１は、図６（Ｃ）乃至（Ｅ）示すように、略角軸状の摺動本体部８１１の長手方向に沿ってラック部８１２が形成されている。該ラック部８１２は、多数の歯片から形成され、後述する緩衝部材８４の抵抗歯車８４１と噛み合う箇所となる。その摺動本体部８１１の長手方向一端側には、枢支連結部８１３が形成されている。該枢支連結部８１３には、連結軸片８１３ａが形成され、該連結軸片８１３ａ を介して、後述するフック部材８２と枢支連結されるものである。さらに前記枢支連結部８１３の付近には、弾性引張具８３の端部が固着される弾性引張具連結部８１４が形成されている。また、前記摺動本体部８１１には、後述するクローザケーシング８０側に形成された摺動規制部８０１に係合する摺動規制突起８１５が形成されている。該摺動規制突起８１５は、前記摺動部材８１の長手方向において戸閉側寄り端部に形成され、且つ摺動部材８１の長手方向に直交する方向に突出形成されたものである。
【００３３】
また、前記被係止片８２２ａと被当接片８２２ｂ との間の形状は略Ｕ字形状の凹み部８２２ｃとなっており、該凹み部８２２ｃ に後述する被係合部材８５の被係合突起８５１が挿入することができるようになっている。前記フック部材８２の回動基部８２１は、前記摺動部材８１に枢支連結され、前記フック部材８２が前記摺動部材８１に対して垂直面上に回動自在となる。前記フック部材８２には、ガイド突起８２４が形成されている。
【００３４】
該ガイド突起８２４は、後述するクローザケーシング８０に形成された補助案内部８０２に挿入され、前記フック部材８２をクローザケーシング８０の長手方向に沿って良好に移動させるとともに、そのフック部材８２の回動動作も良好且つ正確に行わせようとするものである。前記クローザ８Ａは、図１,図２に示すように、前記走行摺動部６の摺動板部６１に装着されている。また、被係合部材８５は、家具本体２００側に固定される。そして、被係合突起８５１が挿入することができるようになっている。そして前記走行摺動部６の摺動板部６１は、常時始端位置７ｓ側に向かって弾性的に付勢され、前記走行摺動部６の摺動板部６１が扉１００の戸閉状態及び最大戸開状態の付近に到達すると戸閉及び戸開きを完了するように補助する役目をなすものである。
【００３５】
また、付勢手段８として線状スプリング８Ｂが使用されることもある。該線状スプリング８Ｂは、具体的にはコイルスプリングである（図１,図２参照）。該線状スプリング８Ｂの長手方向の一端が、家具本体２００の内壁面に連結され、他端側が前記走行摺動部６の摺動板部６１の端部箇所に連結される。そして前記摺動板部６１は、線状スプリング８Ｂによって、常時始端位置７ｓ側に向かって弾性的に付勢され、扉１００の戸閉状態及び最大戸開状態の付近から戸閉及び戸開きを完了するように補助する役目をなすものである。さらに、前記クローザ８Ａと線状スプリング８Ｂとが共に使用されることもある。
【００３６】
上記構成において、図１,図２及び図５に示すように、前記主アーム１の固定分岐部１５と、前記摺動体Ｂの固定レバー部６２のそれぞれの先端（枢支部）同士がリンク９によって枢支状態で連接されている。前記固定分岐部１５とリンク９との枢支連接部を第１連接部Ｊａと称する。また、前記固定レバー部６２と前記リンク９との枢支連接部を第２連接部Ｊｂと称する。
【００３７】
そして、図７,図８及び図９乃至図１１に示すように、前記主アーム１，摺動体Ｂが回動及び移動する面に（仮想の）Ｘ−Ｙ座標を設定し、それぞれの部位及び第１連接部Ｊａ，第２連接部Ｊｂの動作がＸ−Ｙ座標面上にて行われるものとする。さらに、説明の理解をし易いという観点から、前記主アーム１の回動中心Ｐの位置がＸ−Ｙ座標の交点（０の位置）に一致させて説明する。なお、Ｘ−Ｙ座標が設定されるのは、説明上においてのみであり、実際の扉開閉動作は、Ｘ−Ｙ座標によって限定或いは制限されるものではない。
【００３８】
前記第１連接部Ｊａは、前記主アーム１の回動中心１２の位置と、前記リンク９と前記固定レバー部６２の第２連接部Ｊｂの位置とが前記Ｘ−Ｙ座標のＹ方向において同一位置とし、Ｘ方向において適宜離間したものである（図７参照）。そのＸ方向における離間距離は、前記主アーム１の回動と共に変化するものである。さらに、前記摺動体Ｂの固定レバー部６２のリンク９との枢支連結位置（第２連接部Ｊｂ）は、Ｘ座標線（Ｙ座標は０の位置）上に位置し、該Ｘ座標線上を移動するものしている。
【００３９】
前記扉１００が完全に閉じた状態から、該扉１００が完全に開くまでの主アーム１，摺動体Ｂ及びリンク９等の可動部位の動作を説明する。主アーム１の固定分岐部１５とリンク９との第１連接部Ｊａは、図７,図８に示すように、前記Ｘ−Ｙ座標における第１座標面〔Ｘ，Ｙが（＋）領域〕と、第２座標面〔Ｘが（＋）領域，Ｙが（−）領域〕とを往復移動することができるように、前記主アーム１の回動範囲が設定される。さらに、前記扉１００の完全閉じ位置と、該扉１００の完全開き位置における前記第２連接部Ｊｂのそれぞれの座標位置は、図８に示すように、Ｘ座標線に対して対称（略対称も含まれる）の位置となるように設定される。
【００４０】
また、前記第１連接部Ｊａの位置がＸ座標（Ｙ座標は０の位置）線上に位置したときには、前記リンク９の長手方向がＸ座標（Ｙ座標は０の位置）線と位置が一致するものである〔図７,図１０（Ｂ）参照〕。上記の構成とすることにより、前記扉１００が完全閉じ状態〔図９（Ａ）参照〕から開き始めると、前記主アーム１の長手方向線がＸ方向に沿った状態から回動してＸ−Ｙ座標面で傾斜する〔図９（Ｂ）,（Ｃ）参照〕。前記主アーム１の回動傾斜に伴って、前記固定分岐部１５も共に移動を行う。該固定分岐部１５のリンク９との第１連接部Ｊａは、前記主アーム１の回動中心１２を中心とする円形軌跡Ｋに沿って移動することになる〔図９（Ｂ）,（Ｃ）参照〕。該円形軌跡Ｋは、前記Ｘ−Ｙ座標によって、４等分され、前記第１連接部Ｊａは、扉１００の開閉動作において円形軌跡Ｋの前記第１座標面と、前記第２座標面に亘って移動することになる。
【００４１】
ここで前記固定分岐部１５の第１連接部ＪａがＸ座標線の上に到達する過程〔図１０（Ａ）参照〕で、前記摺動体Ｂはレール７の始端位置７ｓから終端位置７ｅに向かって移動する。さらに前記第１連接部ＪａがＸ座標線上に到達すると、第１連接部Ｊａ，第２連接部Ｊｂ及びリンク９とがＸ座標線上に一致する〔図１０（Ｂ）参照〕。この位置において、前記摺動体Ｂは、レール７の終端位置７ｅ側寄りで移動終了位置となり、この位置からさらにレール７の終端位置７ｅ側に移動することはできない。前記主アーム１が扉１００の開き方向に回動動作を続けると、前記第１連接部Ｊａは第１座標面から第２座標面に移動する。この第１連接部Ｊａの動作に伴って、前記摺動体Ｂは、レール７の始端位置７ｓ側に向かって移動する。
【００４２】
この動作は、前記主アーム１によって扉１００が完全に開ききった状態となるまで行われ〔図１１（Ａ）参照〕、前記扉１００が完全に開ききった位置では、前記摺動体Ｂは初期の位置に戻ることになる〔図１１（Ｂ）参照〕。すなわち、扉１００と共に前記主アーム１が開き動作の回動を１回行うと、前記摺動体Ｂは、レール７を始端位置７ｓと終端位置７ｅとの間を１往復することになる（図９乃至図１１参照）。前記摺動体Ｂは、その１往復により元の位置（始端位置７ｓ）に戻ることができる。
【００４３】
また、前記扉１００が完全に開いた状態から完全に閉じた状態に戻るときには、前記第１連接部Ｊａは、第２座標から第１座標に向かって移動し、前記摺動体Ｂは同様に１往復することになり、前記摺動体Ｂに前記付勢手段８（クローザ８Ａ,線状スプリング８Ｂ）が装着されることで、走行摺動部６の摺動板部６１は、レール７の始端位置７ｓ側に向かって常時付勢され、前記扉１００の完全閉じ状態及び完全開き状態を確実に行うことができるものである。
【００４４】
特に、前記付勢手段８としてクローザ８Ａが使用された場合には、前記走行摺動部６の摺動板部６１の戸閉状態から戸開きに到る行程では、戸開完了状態に近づくと、前記走行摺動部６の摺動板部６１に設置されたクローザ８Ａのフック部材８２が、被係合部材８５の被係合突起８５１と係止し、弾性引張具連結部８１４の弾性力にて、扉１００は完全に開く。また、扉１００の戸開状態から戸閉状態に到る行程においても、該扉１００が戸閉完了状態に近づくと、前述と同様にしたように被係合部材８５の被係合突起８５１と係止し、弾性引張具連結部８１４の弾性力にて戸閉が完了する（図１２参照）。このように、扉１００と共に前記主アーム１が開き動作の回動を１回行うと、前記摺動体Ｂの走行摺動部６の摺動板部６１は、レール７を始端位置７ｓと終端位置７ｅとの間を１往復し、扉１００の開閉において、摺動板部６１は、常に始端位置７ｓに戻ることになり、何れにおいてもクローザ８Ａが作動して、扉１００の完全閉じ状態及び完全開き状態が行われる。
【図面の簡単な説明】
【００４５】
【図１】（Ａ）は完全戸開き状態における本発明の平面図、（Ｂ）は完全戸閉状態における本発明の平面図である。
【図２】戸閉行程（又は戸開き行程）の中間の状態における本発明の平面図である。
【図３】（Ａ）は固定開閉具及び摺動体の構成を示す正面図、（Ｂ）は走行ローラの構成を示す略示図、（Ｃ）は固定開閉具及び摺動体の一部断面にした側面図である。
【図４】（Ａ）は戸閉状態における固定開閉具の内部を示す一部断面とした平面図、（Ｂ）は戸開き状態における固定開閉具の内部を示す一部断面とした平面図である。
【図５】戸開き状態における家具の一部と本発明の斜視図である。
【図６】（Ａ）はクローザの平面図、（Ｂ）はクローザの底面図、（Ｃ）はクローザの内部構造を示す平面図、（Ｄ）は摺動本体部及びフック部材の斜視図、（Ｅ）は緩衝部材の斜視図である。
【図７】リンクがＸ軸上に位置した状態における本発明の略示図である。
【図８】戸開き完了状態における本発明の略示図である。
【図９】（Ａ）は戸閉状態の行程図、（Ｂ）は扉が開き始めた状態の行程図、（Ｃ）はさらに扉が開き始めた状態の行程図である。
【図１０】（Ａ）はリンクがＸ軸に近接している状態の行程図、（Ｂ）はリンクがＸ軸の位置に一致した状態の行程図である。
【図１１】（Ａ）は戸開き完了に直前の状態の行程図、（Ｂ）は戸開きが完了した行程図クがＸ軸の位置に一致した状態の行程図である。
【図１２】（Ａ）乃至（Ｅ）は扉の開閉において摺動板部がレールに沿って１往復する間の動作図である。
【符号の説明】
【００４６】
Ａ…固定開閉具、Ｂ…摺動体、１…主アーム、２…副アーム、３…ケーシング、
９…リンク、７…レール、８…付勢手段、８Ａ…クローザ、８Ｂ…線状スプリング、
１５…固定分岐部、６２…固定レバー部。
【図１】
2008291560.tif 000003
【図２】
2008291560.tif 000004
【図３】
2008291560.tif 000005
【図４】
2008291560.tif 000006
【図５】
2008291560.tif 000007
【図６】
2008291560.tif 000008
【図７】
2008291560.tif 000009
【図８】
2008291560.tif 000010
【図９】
2008291560.tif 000011
【図１０】
2008291560.tif 000012
【図１１】
2008291560.tif 000013
【図１２】
2008291560.tif 000014